(57)【要約】【課題】テリトリー意識が強いカラス等の鳥の営巣を効果的に防止することができる営巣防止装置を提供する。【解決手段】建造物に配置し鳥類の営巣を防止する装置であって、鳥の巣状に形成された巣の模型と、該巣の模型内に配設された鳥の模型とからなる。【選択図】        図１
2004222576.tif 000002
【特許請求の範囲】
【請求項１】
建造物に配置し鳥類の営巣を防止する装置であって、
鳥の巣状に形成された巣の模型と、該巣の模型内に配設された鳥の模型とからなる、ことを特徴とする鳥の営巣防止装置。
【請求項２】
該鳥の模型は、弾性支持手段を介して該巣の模型に装着されている、請求項１記載の鳥の営巣防止装置。
【発明の詳細な説明】
【０００１】
【発明の属する技術分野】
本発明は、電力輸送用の高圧送電線鉄塔や電波用鉄塔等の建造物に配置し建造物に鳥が営巣するのを防止するための営巣防止装置に関する。
【０００２】
【従来の技術】
近年、都市部では住宅が密集して樹木が少なくなり、カラス等の鳥が電力輸送用電線の支持用構造物である高圧送電線鉄塔に営巣する例が後を絶たない。高圧送電線鉄塔に営巣するだけであれば大きな問題はないが、上述したように都市部では樹木が少なくなって適当な巣材が不足しているため、金属製のハンガー等を利用して巣を作るカラスが多い。金属製のハンガー等は導電性であるため、これらの巣材が電力線に接触して相関短絡もしくは地絡事故といった電気故障を引き起こす要因となる。カラスは翼を広げると１ｍ以上となる例も多く、巣から飛び立つ際に翼を広げたとき電力線に接触して上述した電気故障を引き起こすことがある。また、繁殖期に育成された飛翔力が未熟な幼鳥が巣立ちをする場合にも、電力線に接触して同様の電気故障を引き起こすこともある。
【０００３】
上述した問題を解消するために従来より種々の対策が提案されている。
例えば、聴覚刺激によって追い払う装置が特開平５−２１１８３６号公報、特開平９−１０７８６５号公報等に開示されている。しかしながら、音響では一時的に飛び去って逃げても、音響を止めると再び飛来する。追放効果を高めるためには絶えず音響を発する必要があり、住宅が近接している地域においては騒音公害となる。また、鳥の飛来時のみ音響を発せさせるためには、鳥の飛来を検知するためのセンサーが必要となり、装置が複雑かつ高価なものとなるとともに、敏感なセンサー類を風雨に晒される環境で長期間に渡って使用するには不向きである。
【０００４】
また、鳥の侵入を防止する柵、ワイヤー、針等を設置する対策が、例えば特許第２５２５０８２号公報、特許第２７９４３９９号公報、特開２０００−３１６４５７号公報等に開示されている。しかしながら、これらの対策は鳥の侵入経路全面に渡って対策物を設置しなければ効果は低く、莫大な費用を要するとともに、保守点検時における作業性を損なう。
【０００５】
更に、電気事故の起こりにくい安全な場所に営巣しやすいカゴ等の営巣誘導具を設置して、この設置された営巣誘導具に鳥を誘導する対策が、例えば特許第２６７６４９５号公報、特許第２５２００８９号公報等に開示されている。しかしながら、営巣誘導器具を電気事故の起こりにくい安全な場所に設置しても、必ずしもそこに鳥が営巣するとは限らず、効果は少ない。
【０００６】
また、鳥の天敵種或いは猛禽類の模型を設置して、追い払うことにより鳥が営巣するのを防止する対策の提案されている。（例えば、特許文献１、特許文献２参照。）
【０００７】
【特許文献１】
特開平１０−１７４５４７号公報
【特許文献２】
実開昭５４−１５５８８１号公報
【０００８】
【発明が解決しようとする課題】
而して、鳥の天敵種或いは猛禽類の模型を設置する対策は、模型の設置場所、設置する方法によって追放効果が左右されるばかりでなく、動かない模型に対して鳥の方も時間の経過とともに慣れてしまい、追放効果が低下する。
【０００９】
本発明は上記事実に鑑みてなされたもので、鳥の習性を利用して効果的に営巣を防止しようとするものである。例えば、電力輸送に支障をきたす鳥類の代表としてカラスがあげられる。このカラスは、通常群れで行動し、夜間はねぐらと呼ばれる公園、森、神社といった近くに水場および樹木のある場所に戻り、樹木上で過ごして営巣しない。この群れの行動範囲は、ねぐらを中心に半径１０ｋｍ程度を１日の行動圏として活動している。このように、非繁殖期は営巣しないカラスではあるが、２月頃から７月頃にかけて訪れる繁殖期には、つがいとなって群れの行動範囲内ではあるが、ねぐらから離れた場所に営巣して産卵から巣立ちまで子育てする習性がある。繁殖期のつがいのカラスは、テリトリー意識が仲間内に対しても強くなり、巣を中心に半径５０ｍ程度の範囲内に近づく仲間の群れのカラスを含む鳥獣類に対して攻撃を行う場合がある。このためカラスは、既に生息している巣の周辺には営巣を避ける習性がある。なお、上記行動範囲およびテリトリー範囲は、生息環境およびカラスの種別により変動する。
【００１０】
本発明の技術的課題は、上述したテリトリー意識が強いカラス等の鳥の営巣を効果的に防止することができる営巣防止装置を提供することにある。
【００１１】
【課題を解決するための手段】
本発明によれば、上記技術的課題を解決するために、建造物に配置し鳥類の営巣を防止する装置であって、
鳥の巣状に形成された巣の模型と、該巣の模型内に配設された鳥の模型とからなる、ことを特徴とする鳥の営巣防止装置が提供される。
【００１２】
上記鳥の模型は、弾性支持手段を介して上記巣の模型に装着されていることが望ましい。
【００１３】
【発明の実施の形態】
以下、本発明に従って構成された営巣防止装置の好適実施形態を図示している添付図面を参照して、更に詳細に説明する。
【００１４】
図１には、本発明に従って構成された営巣防止装置の一実施形態の側面図が示されている。
図示の実施形態はカラスを対象とした営巣防止装置２で、鳥の巣状に形成された巣の模型３と、該巣の模型３内に配設された鳥の模型４とによって構成されている。巣の模型３は、枠体３１（図２参照）と該枠材３１の上および外側部に配置された巣材３２とからなっている。枠体３１は、図２に示す実施形態においては合成樹脂によって皿状に形成されており、その周壁には巣材３２を差し込むための複数の穴３１１が設けられている。また、枠体３１の中央部には、鳥の模型４を装着するための装着部３１２が上方に突出して形成されている。装着部３１２の上端部には、鳥の模型４を装着するための後述するコイルスプリングを嵌合する所定深さを有する嵌合穴３１３が設けられている。この枠体３１の上および外側部に図１に示すように枯れ枝や枯れ草等の巣材３２が配置されて、枠体３１に図示しないてぐす等の止着手段によって止着されている。このように構成された巣の模型３は、実際のカラスの巣と同程度の大きさをなしており、直径が約４０〜６０ｃｍ、高さが約１５〜３０ｃｍに形成されている。
【００１５】
上述した巣の模型３内に配設された鳥の模型４は、図３および図４に示すように胴部４１１と頭部４１２と嘴４１３および尾部４１４を備えた胴本体４１と、該胴本体４１の両側に設けられた翼４２、４３とからなっている。なお、頭部４１２には目を印象させる模様４１５を設けることがより効果的である。上記胴本体４１と翼４２、４３は、図示の実施形態においては合成樹脂によって実際のカラスと同程度の大きさに形成され、カラス色に着色されている。胴本体４１と翼４２、４３とは、頭部側が翼４２、４３を形成する針金等の心材４４を胴本体４１に挿通することによって連結されている。なお、翼４２、４３を形成する針金等の心材４４の端部は翼４２、４３の尾部側先端から突出して設けられており、該両突出部にてぐす４５を張設し、このてぐす４５を尾部４１４に設けられた支持リング４６を挿通して中央部を支持することにより、翼４２、４３の尾部側が支持される。
【００１６】
上記のように構成された鳥の模型４を構成する胴部４１１の中央部下面には、弾性支持手段としてのコイルスプリング５の上端が適宜の固着手段によって取り付けられている。胴部４１１に取り付けられたコイルスプリング５の下端部を枠体３１の中央部に形成された装着部３１２の嵌合穴３１３に嵌合することにより、鳥の模型４はコイルスプリング５を介して枠体３１に装着される。このように、鳥の模型４をコイルスプリング５を介して枠体３１に装着することにより、風や振動により鳥の模型４が揺れ動いている状態を得ることができる。
【００１７】
以上のように構成された営巣防止装置２は、例えば高圧送電線鉄塔の所定位置に設置する。この結果、高圧送電線鉄塔の所定位置にはカラスが営巣している状態となり、人口のテリトリーが形成されるので、テリトリー意識が強いカラスは営巣している状態の営巣防止装置２の周辺に営巣することはない。従って、営巣するために高圧送電線鉄塔に飛来するカラスやカラスが電力線に接触する事故を未然に防止することができる。このように、図示の営巣防止装置２はテリトリー意識というカラスの習性を利用してその周辺に近寄らないようにするものであるから、一時的に追い払うだけでなく長期間に渡って営巣防止効果を奏する。なお、営巣防止装置２は、繁殖期だけ設置することが営巣防止効果を継続するために望ましい。即ち、自然界における生態系からみて繁殖期でもない時期にカラスと巣の組み合わせは不自然であり、営巣防止効果を継続するためには繁殖期以外は撤去する必要がある。
【００１８】
以上、本発明を図示の実施形態に基づいて説明したが、本発明は実施形態のみに限定されるものではなく、本発明の技術思想の範囲で種々の変形は可能である。例えば、図示の実施形態においては、カラスを対象とした営巣防止装置につて説明したが、本発明はテリトリー意識の習性がある他の鳥の営巣防止装置に適用できることはいうまでもない。また、図示の実施形態においては、巣の模型を構成する枠体を合成樹脂によって形成した例をしめしたが、該枠体は針金を細長く湾曲形成したものを放射状に組み合わせて皿状に形成したものや、浅い駕籠状のものを用いてもよい。
【００１９】
【発明の効果】
本発明による営巣防止装置は以上のように構成され、鳥の巣状に形成された巣の模型と、該巣の模型内に配設された鳥の模型とからなっているので、鳥が営巣している状態が形成される。従って、この営巣防止装置を所定の位置に設置することにより、テリトリー意識が強い鳥はその周辺に近づくことはない。このように、本発明による営巣防止装置はテリトリー意識という鳥の習性を利用してその周辺に近寄らないようにするものであるから、一時的に追い払うだけでなく長期間に渡って営巣防止効果を奏する。
【図面の簡単な説明】
【図１】本発明に従って構成された営巣防止装置の側面図。
【図２】図１に示す営巣防止装置における巣の模型を構成する枠体の斜視図。
【図３】図１に示す営巣防止装置における鳥の模型の平面図。
【図４】図３に示す鳥の模型の側面図。
【符号の説明】
２：営巣防止装置
３：巣の模型
３１：巣の模型の枠体
３２：巣の模型の巣材
４：鳥の模型
５：コイルスプリング
【図１】
2004222576.tif 000003
【図２】
2004222576.tif 000004
【図３】
2004222576.tif 000005
【図４】
2004222576.tif 000006